(57)【要約】  本発明の目的は、十分な立体感や奥行き感があり、動きを表現することもでき、演出性や装飾性が高められた発光部材を提供することである。本発明の発光部材は、複数の有機ＥＬ素子ａがパターン配置された面状発光素子Ａと、一以上の有機ＥＬ素子ｂがパターン配置された面状発光素子Ｂとを含み、前記面状発光素子Ａと前記面状発光素子Ｂとは、互いに積層されており、前記面状発光素子Ａに含まれる複数の有機ＥＬ素子ａは、互いに独立して発光が制御され、かつ前記面状発光素子Ａに含まれる複数の有機ＥＬ素子ａと前記面状発光素子Ｂに含まれる有機ＥＬ素子ｂとが、互いに独立して発光が制御されるように構成されており、前記面状発光素子Ａにおける前記複数の有機ＥＬ素子ａのパターンが、前記面状発光素子Ｂにおける前記有機ＥＬ素子ｂのパターンと異なっている。
2014188732.tif 000002
【特許請求の範囲】
【請求項１】
複数の有機ＥＬ素子ａがパターン配置された面状発光素子Ａと、
一以上の有機ＥＬ素子ｂがパターン配置された面状発光素子Ｂとを含み、
前記面状発光素子Ａと前記面状発光素子Ｂとは、互いに積層されており、
前記面状発光素子Ａに含まれる複数の有機ＥＬ素子ａは、互いに独立して発光が制御され、かつ前記面状発光素子Ａに含まれる複数の有機ＥＬ素子ａと前記面状発光素子Ｂに含まれる有機ＥＬ素子ｂとが、互いに独立して発光が制御されるように構成されており、
前記面状発光素子Ａにおける前記複数の有機ＥＬ素子ａのパターンが、前記面状発光素子Ｂにおける前記有機ＥＬ素子ｂのパターンと異なっている、発光部材。
【請求項２】
前記有機ＥＬ素子ａのパターンとは、前記有機ＥＬ素子ａの数、形状、大きさおよび位置の少なくとも一つであり、
前記有機ＥＬ素子ｂのパターンとは、前記有機ＥＬ素子ｂの数、形状、大きさおよび位置の少なくとも一つである、請求項１に記載の発光部材。
【請求項３】
前記面状発光素子ＡおよびＢを含む複数の面状発光素子を含み、
前記複数の面状発光素子のうち、光取り出し部から最も遠くに配置される面状発光素子以外の面状発光素子は透明である、請求項１に記載の発光部材。
【請求項４】
１つの前記有機ＥＬ素子ａまたは１つの前記有機ＥＬ素子ｂが図柄を表示するものである、請求項１に記載の発光部材。
【請求項５】
前記複数の有機ＥＬ素子ａが、周期的に配置されている、請求項１に記載の発光部材。
【発明の詳細な説明】
【技術分野】
【０００１】
本発明は、発光部材に関する。
【背景技術】
【０００２】
有機ＥＬ素子は、電飾、サイン用光源、発光ポスターおよび照明などの各種装置に用いられている。これらの装置は、演出性や装飾性を高めるためなどから、発光色が調整できること、種々の図柄や模様を表示できること、図柄や模様に立体感または奥行き感をもたせること、動きを表現できることなどが求められている。【０００３】
これに対して、特許文献１には、複数の有機ＥＬ光源が積層された装置が開示されている。このように、複数の有機ＥＬ光源を積層することで、輝度や発光色が調整できることが示されている。【０００４】
特許文献２には、図柄α（人型）が形成された面状発光素子αと、図柄β（矢印）が形成された他の面状発光素子とが積層された表示装置（非常誘導灯）が開示されている。具体的には、一の面状発光素子は、図柄α（人型）の形状を有する発光領域５ａと、その図柄αの背景の形状を有する発光領域５ｂとを含み、これらの発光が互いに独立して制御される。他の面状発光素子は、図柄β（矢印）の形状を有する発光領域８ａを含み、前述の発光領域５ａおよび５ｂとは独立して制御される。それにより、一の面状発光素子の図柄α（人型）と、他の面状発光素子の図柄β（矢印）とを切り替えて表示できることが示されている。
【先行技術文献】
【特許文献】
【０００５】
【特許文献１】特開２００６−１５５９４０号公報
【特許文献２】特開２０１１−１７４９８５号公報
【発明の概要】
【発明が解決しようとする課題】
【０００６】
しかしながら、特許文献１の装置は、図柄や模様を表示するものではなかった。特許文献２の装置は、図柄や模様を表示できるものの、その表示画像は、十分な立体感や奥行き感を有するものではなく、動きを有するものでもなかった。そのため、これらの装置は、いずれも演出性や装飾性に劣るという問題があった。【０００７】
本発明は、上記事情に鑑みてなされたものであり、十分な立体感や奥行き感があり、動きを表現することもでき、演出性や装飾性が高められた発光部材を提供することを目的とする。
【課題を解決するための手段】
【０００８】
［１］  複数の有機ＥＬ素子ａがパターン配置された面状発光素子Ａと、一以上の有機ＥＬ素子ｂがパターン配置された面状発光素子Ｂとを含み、前記面状発光素子Ａと前記面状発光素子Ｂとは、互いに積層されており、前記面状発光素子Ａに含まれる複数の有機ＥＬ素子ａは、互いに独立して発光が制御され、かつ前記面状発光素子Ａに含まれる複数の有機ＥＬ素子ａと前記面状発光素子Ｂに含まれる有機ＥＬ素子ｂとが、互いに独立して発光が制御されるように構成されており、前記面状発光素子Ａにおける前記複数の有機ＥＬ素子ａのパターンが、前記面状発光素子Ｂにおける前記有機ＥＬ素子ｂのパターンと異なっている、発光部材。
［２］  前記有機ＥＬ素子ａのパターンとは、前記有機ＥＬ素子ａの数、形状、大きさおよび位置の少なくとも一つであり、前記有機ＥＬ素子ｂのパターンとは、前記有機ＥＬ素子ｂの数、形状、大きさおよび位置の少なくとも一つである、［１］に記載の発光部材。
［３］  前記面状発光素子ＡおよびＢを含む複数の面状発光素子を含み、前記複数の面状発光素子のうち、光取り出し部から最も遠くに配置される面状発光素子以外の面状発光素子は透明である、［１］または［２］に記載の発光部材。
［４］  １つの前記有機ＥＬ素子ａまたは１つの前記有機ＥＬ素子ｂが図柄を表示するものである、［１］〜［３］のいずれかに記載の発光部材。
［５］  前記複数の有機ＥＬ素子ａが、周期的に配置されている、［１］〜［４］のいずれかに記載の発光部材。
【発明の効果】
【０００９】
本発明によれば、十分な立体感や奥行き感があり、動きを表現することもでき、演出性や装飾性が高められた発光部材を提供することができる。
【図面の簡単な説明】
【００１０】
【図１Ａ】本発明の発光部材を含む多機能携帯電話の一例の、操作画面側の平面図である。
【図１Ｂ】本発明の発光部材を含む多機能携帯電話の一例の、操作画面とは反対側（背面側）の平面図である。
【図２】図１ＢのＸ−Ｘ線断面の一例を示す模式図である。
【図３】面状発光素子３０の構成の一例を示す図である。
【図４】面状発光素子５０の構成の一例を示す図である。
【図５】制御基板の制御回路と有機ＥＬ素子との接続状態の一例を示す図である。
【図６Ａ】表示画像の一例を示す模式図である。
【図６Ｂ】表示画像の一例を示す模式図である。
【図６Ｃ】表示画像の一例を示す模式図である。
【図７】本発明の発光部材を含む腕時計の一例を示す上面図である。
【図８Ａ】図７のＹ−Ｙ線断面の一部であり、発光部材の一例を示す断面図である。
【図８Ｂ】面状発光素子９０の一例を示す上面図である。
【図８Ｃ】面状発光素子１１０の一例を示す上面図である。
【図８Ｄ】面状発光素子１３０の一例を示す上面図である。
【図９】表示画像の一例を示す模式図である。
【発明を実施するための形態】
【００１１】
本発明者らは、発光部材を、「複数の有機ＥＬ素子ａがパターン配置された面状発光素子Ａ」と「一以上の有機ＥＬ素子ｂがパターン配置された面状発光素子Ｂ」とを積層し；面状発光素子Ａにおける有機ＥＬ素子ａのパターンと面状発光素子Ｂにおける有機ＥＬ素子ｂのパターンとを異ならせることで、立体感や奥行き感があり、かつ動きを有する画像を表示しうることを見出した。
【００１２】
具体的には、面状発光素子Ａにおける有機ＥＬ素子ａの発光光と、面状発光素子Ｂにおける有機ＥＬ素子ｂの発光光とを重畳させることで、十分な立体感や奥行き感のある画像を表示できる。また、面状発光素子Ａにおける複数の有機ＥＬ素子ａを好ましくは周期的に配置し、これらの発光を独立して制御することで、動きのある画像を表示できる。
【００１３】
即ち、本発明の発光部材は、少なくとも積層された面状発光素子Ａと面状発光素子Ｂとを含む。
【００１４】
面状発光素子Ａは、例えば透明基板と、その上にパターン配置された複数の有機ＥＬ素子ａとを含む。面状発光素子Ｂは、例えば透明基板と、その上にパターン配置された一以上の有機ＥＬ素子ｂとを含む。
【００１５】
透明基板は、ガラス、樹脂材料、またはセラミック材料で構成されうる。
【００１６】
有機ＥＬ素子は、陰極と、陽極と、それらの間に配置された発光層とを含む。本発明における有機ＥＬ素子は、１つの有機ＥＬ素子によって図柄を表示するものである。図柄とは、目視で視認したときに、美観を感じる程度の大きさを有する画像をいう。具体的には、１つの有機ＥＬ素子の面積は、発光部材の光取り出し部全体の面積（例えば図１Ｂでは、光取り出し部１３全体の面積）に対して、例えば５％以上３０％以下としうる。また、１つの有機ＥＬ素子の面積は、例えば０．５ｃｍ２以上としうる。
【００１７】
そして、図柄や模様を表示し、さらには動きを表現しやすくする観点から、面状発光素子Ａに含まれる有機ＥＬ素子ａのパターンと、面状発光素子Ｂに含まれる有機ＥＬ素子ｂのパターンとが異なっていることが好ましい。「有機ＥＬ素子のパターン」とは、有機ＥＬ素子の、数、形状、大きさおよび位置の少なくとも一つを意味する。例えば、面状発光素子Ａの有機ＥＬ素子ａと面状発光素子Ｂの有機ＥＬ素子ｂとの、数、形状、大きさおよび位置の全てが互いに異なってもよいし（後述の図３および図４を参照）；形状、数および位置が同じで、大きさのみが異なってもよい（後述の図８Ｂ〜図８Ｄを参照）。
【００１８】
面状発光素子Ａにおける複数の有機ＥＬ素子ａは、互いに周期的に配置されていることが好ましい。それにより、動きのある画像を表示できる。
【００１９】
「周期的に配置される」とは、複数の有機ＥＬ素子が、一定の規則性をもって配置されることを意味する。周期的に配置される例には、同じ形状を有する複数の有機ＥＬ素子が、互いに一定間隔おきに配置される態様（例えば図４（ａ）参照）や；同じ形状を有する複数の有機ＥＬ素子が、互いに一定角度をなして配置される態様（例えば図８Ｂ〜８Ｄ参照）などが含まれる。
【００２０】
さらに、面状発光素子Ａにおける有機ＥＬ素子ａと面状発光素子Ｂの有機ＥＬ素子ｂとが、互いに周期的に配置されていてもよい。
【００２１】
面状発光素子Ｂに含まれる有機ＥＬ素子ｂの数は、一つであっても、複数であってもよい。種々の動きを表現しやすくするためなどから、面状発光素子Ｂに含まれる有機ＥＬ素子も複数であることが好ましい。
【００２２】
面状発光素子Ａに含まれる複数の有機ＥＬ素子ａと、面状発光素子Ｂに含まれる有機ＥＬ素子ｂとは、互いに独立して発光を制御できるように構成されている。また、動きを表現しやすくするためなどから、面状発光素子Ａに含まれる複数の有機ＥＬ素子ａが、互いに独立して発光を制御できるように構成されていることが好ましい。さらに、面状発光素子Ｂが複数の有機ＥＬ素子ｂを含む場合、複数の有機ＥＬ素子ｂも、互いに独立して発光を制御できるように構成されていることが好ましい。
【００２３】
各面状発光素子が表示する図柄を視認できるようにするために、少なくとも面状発光素子Ａと面状発光素子Ｂとを含む複数の面状発光素子のうち、発光部材の光取り出し部から最も遠くに配置される面状発光素子以外の面状発光素子は、透明であることが好ましい。ただし、発光部材の両面から視認できるようにするためには、複数の面状発光素子の全てが透明であることが好ましい。
【００２４】
発光部材の発光は、任意に制御されうる。例えば、面状発光素子Ａにおける複数の有機ＥＬ素子ａの発光を順次点灯させたり；面状発光素子Ａにおける有機ＥＬ素子ａと面状発光素子Ｂにおける有機ＥＬ素子ｂとを順次点灯させたりすることで、動きのある画像を表示できる。
【００２５】
本発明の発光部材は、電飾、サイン用光源、発光ポスター、照明、多機能携帯電話、タブレット端末、時計（腕時計を含む）、自動車ランプなどの種々の用途に用いることができる。
【００２６】
（第一の実施形態）
本実施形態は、本発明の発光部材を含む多機能携帯電話の一例であり、操作画面が配置される側とは反対側の面（背面）に図柄を表示するものである。図１Ａは、本発明の発光部材を含む多機能携帯電話１０の一例の、操作画面１１側の平面図であり；図１Ｂは、多機能携帯電話１０の操作画面１１とは反対側（背面側）の平面図である。図１Ｂに示されるように、背面全体を光取り出し部１３としうる。
【００２７】
図２は、図１ＢのＸ−Ｘ線断面の一例を示す模式図である。図２に示されるように、多機能携帯電話１０は、一対の保護ガラス１５および１７と、それらの間に配置されたディスプレイパネル１９と、発光部材２１とを含む。
【００２８】
発光部材２１は、互いに積層された面状発光素子３０および面状発光素子５０と、それらと電気的に接続された制御基板７０とを含む。
【００２９】
図３は、面状発光素子３０の構成の一例を示す図である。このうち、図３（ａ）は、面状発光素子３０の上面図であり；図３（ｂ）は、図３（ａ）のＸ−Ｘ線断面図であり；図３（ｃ）は、図３（ａ）のＹ−Ｙ線断面図である。図３（ａ）および図３（ｂ）に示されるように、面状発光素子３０は、透明基板３１と、その上に設けられた１つの陽極３３と、その上に配置された発光層３５と、発光層３５上に配置された２つの陰極３７−１および３７−２とを含む。なお、図３（ａ）では、発光層の図示を省略している。
【００３０】
透明基板３１は、ガラス、樹脂材料、またはセラミック材料で構成されうる。なかでも、フレキシブルな面状発光素子を得ることができることから、透明基板３１は、透明樹脂フィルムであることが好ましい。透明樹脂フィルムを構成する樹脂材料の例には、ポリエチレンテレフタレート（ＰＥＴ）、ポリエチレンナフタレート（ＰＥＮ）等のポリエステル；ポリエチレン、ポリプロピレン等のポリオレフィン；セロファン、セルロースアセテート等のセルロースエステル類；ポリ塩化ビニリデン、ポリビニルアルコール、ポリエチレンビニルアルコール、シンジオタクティックポリスチレン、ポリカーボネート、ポリメチルペンテン、ポリエーテルケトン、ポリイミド、ポリエーテルスルホン（ＰＥＳ）、ポリフェニレンスルフィド、ポリスルホン類、ポリエーテルイミド、ポリアミド、フッ素樹脂、（メタ）アクリル樹脂、ノルボルネン樹脂などのシクロオレフィン樹脂等が含まれる。透明基板３１の厚さは、例えば５０μｍ以上であることが好ましい。
【００３１】
陽極３３は、透明基板３１上に設けられている。図３（ａ）に示されるように、陽極３３の一方の端部は、透明基板３１の外周部に設けられた陽極補助電極３３ａと接続されており；他方の端部は、陽極補助電極３３ｂと接続されている。陽極補助電極３３ａおよび３３ｂは、配線などを介して制御基板７０と電気的に接続されており、電流が供給されるようになっている（図２参照）。
【００３２】
陽極３３は、光透過性を有することが好ましく、例えばＩＴＯ、ＩＺＯ、ＡＺＯ、ＧＺＯ、ＡＴＯ、ＳｎＯ２、ＺｎＯ、ＣｕＩ等の透明導電膜；Ａｇ、Ａｕ、Ａｌ等の金属薄膜などでありうる。
【００３３】
陽極補助電極３３ａと３３ｂは、通常、目隠し部１８で覆われ、外部からは視認されにくいことから、必ずしも光透過性を有しなくてもよい。そのため、陽極補助電極３３ａおよび３３ｂは、電気抵抗が低い材料で構成されることが好ましく、例えばＡｇ、Ａｕ、Ａｌ等の金属膜でありうる。
【００３４】
発光層３５は、主にドーパント化合物とホスト化合物とを含む。ホスト化合物とドーパント化合物（発光材料）の種類をそれぞれ選択することで、任意の発光色を表現することができる。これらの化合物は、低分子量；好ましくは分子量１５００以下の有機化合物でありうる。ホスト化合物は、室温（２５℃）におけるリン光発光のリン光量子収率が０．１未満の化合物であることが好ましく、その具体例には、特開２００１−２５７０７６号公報、同２００２−３０８８５５号公報、同２００１−３１３１７９号公報、同２００２−３１９４９１号公報などに記載された化合物が挙げられる。ドーパント化合物（発光材料）は、蛍光性化合物、リン光発光材料を用いることができ、中でもリン光性ドーパント化合物が好ましい。リン光発光材料は、好ましくは元素の周期表で８〜１０族の金属を含有する錯体系化合物であり、より好ましくはイリジウム化合物、オスミウム化合物、白金化合物（白金錯体系化合物）または希土類錯体であり、さらに好ましくはイリジウム化合物である。
【００３５】
陰極３７−１および３７−２は、発光層３５上にそれぞれ設けられている。図３（ｂ）に示されるように、陰極３７−１は、透明基板３１の外周部に設けられた陰極補助電極３７ａと接続されており；陰極３７−２は、陰極補助電極３７ｂと接続されている。陰極補助電極３７ａおよび３７ｂは、配線などを介して制御基板７０と電気的に接続されており、電流が供給されるようになっている（図２参照）。
【００３６】
陰極３７−１と３７−２は、陽極３３と同様、光透過性を有することが好ましく、陽極３３と同様のものを用いることができる。陰極補助電極３７ａおよび３７ｂは、陽極補助電極３３ａおよび３３ｂと同様に、必ずしも光透過性を有しなくてもよく、陽極補助電極３３ａおよび３３ｂと同様のものを用いることができる。
【００３７】
そして、陽極３３と陰極３７−１とが重なり合った領域が、発光領域（有機ＥＬ素子）４０−１となり；陽極３３と陰極３７−２とが重なり合う領域が、発光領域（有機ＥＬ素子）４０−２となる。このように、図３（ａ）では、透明基板３１上に、２つの矩形状の発光領域（有機ＥＬ素子）４０−１と４０−２が形成される。このように、有機ＥＬ素子４０−１および４０−２は、それぞれ独立に電流を供給可能に構成されている。
【００３８】
図３（ａ）では、面状発光素子の層構成を簡略化して示したが、具体的には、以下のような層構成をとることができる。即ち、陽極３３の上には、有機機能層ユニット（不図示）がさらに形成されている。有機機能層ユニットは、発光層３５の他に、例えば、正孔輸送層、正孔阻止層、電子輸送層等の有機機能層から構成されている。この有機機能層ユニット上に、例えば、陰極３７−１と３７−２が設けられ、最後に最表層として封止部材（封止層）が設けられている。
【００３９】
発光色が異なる有機機能層または発光層が複数積層されたタンデム型の面状発光素子とすることも可能である。発光層３５間に中間層を設けることもできる。また、発光層３５間に中間電極を設けることは、調色を容易にすることから好ましい態様である。
【００４０】
面状発光素子の層構造は、種々の態様を適用することが可能で、例えば、下記（ｉ）〜（ｖ）の層構造を有していてもよい。また、下記の発光層は、青色発光層、緑色発光層および赤色発光層からなるものが好ましい。
【００４１】
（ｉ）透明基板／陽極／発光層／電子輸送層／陰極／封止用接着剤／封止部材
（ii）透明基板／陽極／正孔輸送層／発光層／電子輸送層／陰極／封止用接着剤／封止部材
（iii）透明基板／陽極／正孔輸送層／発光層／正孔阻止層／電子輸送層／陰極／封止用接着剤／封止部材
（iv）透明基板／陽極／正孔輸送層／発光層／正孔阻止層／電子輸送層／陰極バッファー層／陰極／封止用接着剤／封止部材
（ｖ）透明基板／陽極／陽極バッファー層／正孔輸送層／発光層／正孔阻止層／電子輸送層／陰極バッファー層／陰極／封止用接着剤／封止部材
【００４２】
注入層（正孔注入層、電子注入層）
注入層は、駆動電圧の低下や発光輝度の向上のために、必要に応じて電極と有機機能層との間に設けられる層である。注入層としては、電子注入層と正孔注入層とがあり、上記のように陽極と発光層または正孔輸送層との間、および陰極と発光層または電子輸送層との間に設けられうる。注入層の詳細は、「有機ＥＬ素子とその工業化最前線（１９９８年１１月３０日エヌ・ティー・エス社発行）」の第２編第２章「電極材料」（１２３〜１６６頁）に記載されている。
【００４３】
正孔注入層としては、例えば、特開平９−４５４７９号公報、同９−２６００６２号公報、同８−２８８０６９号公報等にもその詳細が記載されている。正孔注入層に適用可能な正孔注入材料としては、トリアゾール誘導体、オキサジアゾール誘導体、イミダゾール誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体等を含むポリマーやアニリン系共重合体、ポリアリールアルカン誘導体、または導電性ポリマーが挙げられ；好ましくはポリチオフェン誘導体、ポリアニリン誘導体、ポリピロール誘導体であり；さらに好ましくはポリチオフェン誘導体である。
【００４４】
電子注入層は、必要に応じて設けられうる。電子注入層としては、例えば、特開平６−３２５８７１号公報、同９−１７５７４号公報、同１０−７４５８６号公報等にその詳細が記載されており；具体的には、ストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。上記バッファー層（注入層）は、ごく薄い膜であることが望ましく、フッ化カリウム、フッ化ナトリウムで構成されたものが好ましい。
【００４５】
正孔輸送層
正孔輸送層を構成する正孔輸送材料としては、上記正孔注入層で適用するのと同様の化合物のほか、ポルフィリン化合物、芳香族第３級アミン化合物およびスチリルアミン化合物などを用いることができる。特に芳香族第３級アミン化合物を用いることが好ましい。
【００４６】
正孔輸送層は、湿式塗布法（例えば、スピンコート法、キャスト法、インクジェット法を含む印刷法等）を用いて、塗布、乾燥することにより形成することができる。また、その他の正孔輸送層の形成方法としては、上記正孔輸送材料を、例えば、真空蒸着法、ラングミュア−ブロジェット法（ＬＢ法）等の公知の方法により、薄膜化して形成することができる。
【００４７】
電子輸送層
電子輸送層は、電子を輸送する機能を有する材料からなり、単層で設けてもよいし、複数層設けてもよい。例えば、正孔ブロック層／電子輸送層の組み合わせとすることができる。
【００４８】
発光層に対して陰極側に隣接する電子輸送層に用いられる電子輸送材料（正孔ブロック材料を兼ねる）としては、陰極より注入された電子を発光層に伝達する機能を有していればよく；その材料としては、従来公知の化合物の中から任意のものを選択して用いることができる。例えば、フルオレン誘導体、カルバゾール誘導体、アザカルバゾール誘導体、オキサジアゾール誘導体、トリアゾール誘導体、シロール誘導体、ピリジン誘導体、ピリミジン誘導体、８−キノリノール誘導体等の金属錯体等が挙げられる。
【００４９】
本実施形態では、複数の有機ＥＬ素子４０−１と４０−２が、陽極と発光層を共有し、陰極をそれぞれ独立に有する例を示したが、これに限定されず、陽極、発光層および陰極の全てをそれぞれ独立に有してもよいし；発光層のみを共有し、陽極と陰極をそれぞれ独立に有してもよい。
【００５０】
有機ＥＬ素子４０−１および４０−２が、それぞれ独立に発光層を有する場合、これらの発光層の組成は同じであっても異なってもよい。また、有機ＥＬ素子４０−１および４０−２が発光層を共有する場合、必要に応じてカラーフィルタをさらに含んでもよい。それにより、有機ＥＬ素子４０−１と４０−２の発光色を互いに異なるものとしうる。
【００５１】
有機ＥＬ素子４０−１および４０−２（発光領域）の形状、大きさ、数および位置は、製造時にマスクパターンにより自由に設定できる。そのため、図３（ａ）に示されるような矩形状だけでなく、種々の形状をとりうる。つまり、デザインに応じた任意の図柄を、１つの有機ＥＬ素子（固定の発光領域）として透明基板３１上に複数配置し、これらを独立に発光制御することができる。
【００５２】
有機ＥＬ素子４０−１および４０−２の面積および光取り出し部１３に対する面積割合は、それぞれ前述した範囲としうる。
【００５３】
陰極３７−１および３７−２上には、さらに光透過性を有する封止層（不図示）が配置されることが好ましい。それにより、発光層３５を外気から保護することができる。光透過性の封止層は、ガラス材料；ＳｉＯＮ，ＳｉＮ、ＳｉＯ２、アルミナ等の無機膜；樹脂材料などで構成されうる。
【００５４】
面状発光素子３０は、例えば以下の方法で得ることができる。即ち、透明基板３１上に、ＩＴＯ等の透明導電性材料をスパッタ等により成膜して、陽極３３を形成する。次いで、陽極３３が形成された透明基板３１上の外周部に、電気抵抗が比較的小さいＡｌ等をスパッタなどで成膜して、陽極補助電極３３ａおよび３３ｂ、陰極補助電極３７ａおよび３７ｂを形成する。陽極３３、陽極補助電極３３ａおよび３３ｂは、陽極３３の一方の端部が陽極補助電極３３ａと重なり、他方の端部が陽極補助電極３３ｂと重なるように形成されることが好ましい。次いで、陽極３３上に、発光層３５を蒸着法等により成膜した後；該発光層３５上に、Ａｌ等の金属材料をスパッタ等によりさらに成膜して陰極３７−１と３７−２を形成する。陰極３７−１は、陰極３７−１が透明基板３１上の陰極補助電極３７ａと重なるように形成し；陰極３７−２は、陰極３７−２が透明基板３１上の陰極補助電極３７ｂと重なるように形成することが好ましい。
【００５５】
図４は、面状発光素子５０の構成の一例を示す図である。このうち、図４（ａ）は、面状発光素子５０の上面図であり；図４（ｂ）は、図４（ａ）のＸ−Ｘ線断面図であり；図４（ｃ）は、図４（ａ）のＹ−Ｙ線断面図である。図４（ａ）および（ｂ）に示されるように、面状発光素子５０は、透明基板５１と、その上に設けられた２つの陽極５３−１および５３−２と、それらの上に配置された発光層５５と、発光層５５上に配置された３つの陰極５７−１、５７−２および５７−３とを含む。
【００５６】
図４（ａ）に示されるように、陽極５３−１は、陽極補助電極５３ａおよび５３ｂと重なるように配置され；陽極５３−２は、陽極補助電極５３ｃおよび５３ｄと重なるように配置される。陰極５７−１は、陰極補助電極５７ａと重なるように配置され；陰極５７−２は、陰極補助電極５７ｂおよび５７ｃと重なるように配置され；陰極５７−３は、陰極補助電極５７ｄと重なるように配置される。
【００５７】
このように、面状発光素子５０は、主に陽極と陰極の形状、数および位置を図４（ａ）に示されるように変更して、３つの有機ＥＬ素子（発光領域）６０−１、６０−２および６０−３を形成した以外は図３とほぼ同様に構成されうる。
【００５８】
透明基板５１の材質などは、前述の透明基板３１と同様としうる。透明基板５１の厚みは、十分な立体感や奥行き感を得るためなどから、一定以上であることが好ましく、前述と同様の範囲としうる。
【００５９】
陽極５３−１と５３−２および陰極５７−１〜５７−３は、前述の陽極３３または陰極３７−１と３７−２と同様に構成されうる。ただし、面状発光素子５０は、光取り出し部１３から最も遠くに配置されることから、陰極５７−１〜５７−３は、必ずしも透明である必要はない。そのため、陰極５７−１〜５７−３は、透明でない金属膜；例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウムなどの金属膜であってもよい。発光層５５の構成や材質は、前述の発光層３５と同様としうる。
【００６０】
有機ＥＬ素子６０−１〜６０−３の面積は、前述の有機ＥＬ素子４０−１および４０−２と同様の範囲としうる。
【００６１】
図４（ａ）では、同じ形状と大きさを有する有機ＥＬ素子６０−１〜６０−３が、互いに平行かつ一定の間隔おきに配置されている。このように、複数の有機ＥＬ素子６０−１〜６０−３が周期的に配置されることで、後述するような動きを表現しやすくなる。
【００６２】
面状発光素子３０と５０は、例えば透明基板３１と５１が、それぞれ光取り出し部１３側（ボトムエミッション）となるように積層されうる（図２参照）。面状発光素子３０と５０とは、隙間を介して積層されてもよいし、接着剤層などを介して積層されてもよい。接着剤層は、面状発光素子５０の発光光を取り出しやすくするために、透明であることが好ましい。
【００６３】
面状発光素子３０と５０の外形サイズは、互いに同じであっても異なってもよい。面状発光素子３０と５０を互いに密着させやすくするためには、面状発光素子３０の配線部材との接続部と、面状発光素子５０の配線部材との接続部とが互いに重ならないようにすることが好ましく；そのためには、面状発光素子５０の外形サイズを、面状発光素子３０の外形サイズよりも小さくすることが好ましい。
【００６４】
図５は、制御基板７０の制御回路と有機ＥＬ素子４０−１、４０−２、６０−１、６０−２および６０−３との接続状態の一例を示す図である。図５に示されるように、面状発光素子３０の有機ＥＬ素子４０−１と４０−２の陽極は、共通（コモン）で制御回路に接続され；陰極は、それぞれ独立に制御回路と接続されうる。同様に、面状発光素子５０の有機ＥＬ素子６０−１、６０−２および６０−３の陽極は、共通（コモン）で制御回路に接続され；陰極は、それぞれ独立に制御回路と接続されうる。そして、制御回路から個別に電流を供給することで、任意の有機ＥＬ素子（発光領域）を発光させることができる。
【００６５】
発光部材２１は、保護ガラス１７上に配置されうる（図２参照）。保護ガラス１７の、発光部材２１が配置される面の外周部には、面状発光素子３０および５０の補助電極や配線部材などが外部から見えないように、目隠し部１８が施されていることが好ましい（図１Ｂ参照）。目隠し部１８は、例えば保護ガラス１７の、発光部材２１が配置される面の外周部に塗料を印刷することなどによって形成されうる。
【００６６】
多機能携帯電話１０は、その背面の光取り出し部１３に近い側の面状発光素子３０が光透過性を有するため、光取り出し部１３から遠い側の面状発光素子５０の発光光を、面状発光素子３０を介して取り出すことができる。それにより、各面状発光素子の発光光を重畳させることができる。
【００６７】
特に、面状発光素子５０の有機ＥＬ素子６０−１〜６０−３は、面状発光素子３０の有機ＥＬ素子４０−１および４０−２よりも光取り出し部１３から（積層方向に）遠くに配置されている。そのため、面状発光素子５０が表示する画像は、立体感や奥行き感を有しうる。本実施形態では、面状発光素子３０の封止層の厚みや；面状発光素子５０の透明基板５１の厚みなどを大きくすることで、面状発光素子５０が表示する画像の立体感や奥行き感をさらに高めることができる。
【００６８】
また、各有機ＥＬ素子の発光色を互いに異ならせることで、装飾性を高めてもよい。
【００６９】
さらに、任意の有機ＥＬ素子の発光を独立して制御することで、複数の有機ＥＬ素子を順次点灯させる等、様々の動きを表現することができる。
【００７０】
図６Ａ〜６Ｃは、表示画像の一例を示す模式図である。例えば、面状発光素子３０の有機ＥＬ素子４０−１への電流供給をＯＦＦ、有機ＥＬ素子４０−２への電流供給をＯＮとし；面状発光素子５０の有機ＥＬ素子６０−１および６０−２への電流供給をＯＦＦ、有機ＥＬ素子６０−３への電流供給をＯＮとすることで、図６Ａに示される画像を表示することができる。
【００７１】
次いで、面状発光素子３０の有機ＥＬ素子４０−１への電流供給をＯＦＦ、有機ＥＬ素子４０−２への電流供給をＯＮとしたまま、面状発光素子５０の有機ＥＬ素子６０−１および６０−３への電流供給をＯＦＦ、６０−２への電流供給をＯＮとすることで、図６Ｂに示される画像を表示することができる。
【００７２】
次いで、有機ＥＬ素子４０−１への電流供給をＯＦＦ、有機ＥＬ素子４０−２への電流供給をＯＮとしたまま、面状発光素子５０の有機ＥＬ素子（発光領域）６０−２および６０−３への電流供給をＯＦＦ、有機ＥＬ素子（発光領域）６０−１への電流供給をＯＮとすることで、図６Ｃに示される画像を表示することができる。
【００７３】
このように、各有機ＥＬ素子への電流供給を順次切り替えて、図６Ａ、図６Ｂおよび図６Ｃに示されるような画像を順次表示することで、矩形状の発光領域が、一方向に平行移動する動き；即ち、有機ＥＬ素子６０−３を基準軸（発光基準軸）として、有機ＥＬ素子６０−３から６０−１へと平行移動する動きを表現することができる。それにより、演出性や装飾性を高めることができる。
【００７４】
（第二の実施形態）
本実施形態は、本発明の発光部材を含む腕時計の一例であり、時刻を画像として表示するものである。図７は、光取り出し部８３を有する腕時計８０の一例を示す上面図である。図８Ａは、図７のＹ−Ｙ線断面の一部であり、発光部材８１の一例を示す断面図である。
【００７５】
図８Ａに示されるように、腕時計８０を構成する発光部材８１は、３つの積層された面状発光素子９０、１１０および１３０と、これらの素子と電気的に接続された制御基板（不図示）とを含む。具体的には、面状発光素子９０、１１０および１３０は、光取り出し部８３から近い側からこの順に配置されうる。
【００７６】
図８Ｂは、面状発光素子９０の一例を示す上面図であり；図８Ｃは、面状発光素子１１０の一例を示す上面図であり；図８Ｄは、面状発光素子１３０の一例を示す上面図である。図８Ｂに示されるように、面状発光素子９０は、透明基板９１と、その上に円形枠状に配置された有機ＥＬ素子９３−１と、その外周上に放射状に設けられた複数の有機ＥＬ素子９３−２〜９３−１３とを含む。
【００７７】
透明基板９１の材質は、前述と同様としうる。透明基板９１の厚みは、十分な立体感や奥行き感を得るためなどから、一定以上であることが好ましく、前述と同様の範囲としうる。
【００７８】
有機ＥＬ素子９３−１〜９３−１３の面積および光取り出し部８３に対する面積割合は、それぞれ前述した範囲としうる。これらの有機ＥＬ素子９３−１〜９３−１３は、互いに独立して制御可能に設けられている。面状発光素子９０は、例えば時針を表示しうる。
【００７９】
図８Ｃに示されるように、面状発光素子１１０は、透明基板１１１と、その上に円形枠状に配置された有機ＥＬ素子１１３−１と、その外周上に放射状に設けられた複数の有機ＥＬ素子１１３−２〜１１３−６１とを含む。有機ＥＬ素子１１３−２〜１１３−６１の面積は、前述と同様の範囲としうる。これらの複数の有機ＥＬ素子は、互いに独立して制御可能に設けられている。面状発光素子１１０は、例えば分針を表示しうる。
【００８０】
図８Ｄに示されるように、面状発光素子１３０は、透明基板１３１と、その上に円形枠状に配置された有機ＥＬ素子１３３−１と、その外周上に放射状に設けられた複数の有機ＥＬ素子１３３−２〜１３３−６１とを含む。有機ＥＬ素子１３３−２〜１３３−６１の面積は、前述と同様の範囲としうる。これらの有機ＥＬ素子は、互いに独立して制御可能に設けられている。面状発光素子１３０は、例えば秒針を表示しうる。
【００８１】
面状発光素子９０の円形枠状の有機ＥＬ素子９３−１、面状発光素子１１０の円形枠状の有機ＥＬ素子１１３−１、および面状発光素子１３０の円形枠状の有機ＥＬ素子１３３−１は、互いに大きさが異なる以外は同様に構成されうる。そして、面状発光素子９０の円形枠状の有機ＥＬ素子９３−１、面状発光素子１１０の円形枠状の有機ＥＬ素子１１３−１、および面状発光素子１３０の円形枠状の有機ＥＬ素子１３３−１の中心点は、互いに積層方向に重なるように積層されている（図８Ａ参照）。
【００８２】
光取り出し部８３から最も遠い側に配置される面状発光素子１３０の発光光を、光取り出し部８３から取り出しやすくするために、少なくとも面状発光素子９０および１１０は、透明であることが好ましい。
【００８３】
このように構成された腕時計８０では、前述したように、面状発光素子１１０および１３０の有機ＥＬ素子が、面状発光素子９０の有機ＥＬ素子よりも光取り出し部８３から（積層方向に）遠い位置に配置されている。そのため、面状発光素子１１０および１３０が表示する画像は、立体感や奥行き感を有しうる。
【００８４】
さらに、腕時計８０は、各有機ＥＬ素子の発光を独立に制御することで、時計の針の動きを表示することができる。例えば、面状発光素子９０の有機ＥＬ素子９３−１への電流供給をＯＮにしたまま；時間の経過に従って、有機ＥＬ素子９３−２〜９３−１３を時計回りに順次点灯させる。同様に、面状発光素子１１０の有機ＥＬ素子１１３−１への電流供給をＯＮにしたまま；時間の経過に従って、有機ＥＬ素子１１３−２〜１１３−６１を時計回りに順次点灯させる。面状発光素子１３０の有機ＥＬ素子１３３−１への電流供給をＯＮにしたまま；時間の経過に従って、有機ＥＬ素子１３３−２〜１３３−６１を時計回りに順次点灯させる。それにより、有機ＥＬ素子９３−１の中心点を回転中心点として時針、分針、秒針が回転する動きを表現することができる。
【００８５】
そして、面状発光素子９０の有機ＥＬ素子９３−５への電流供給をＯＮ；面状発光素子１１０の有機ＥＬ素子１１３−４１への電流供給をＯＮ；面状発光素子１３０の１３３−５１への電流供給をＯＮとし、それ以外の有機ＥＬ素子への電流供給をＯＦＦとすることで、図９に示されるような時刻を、画像として表示することができる。
【００８６】
本出願は、２０１３年５月２４日出願の特願２０１３−１１００４９に基づく優先権を主張する。当該出願明細書および図面に記載された内容は、すべて本願明細書に援用される。
【産業上の利用可能性】
【００８７】
本発明によれば、十分な立体感や奥行き感があり、動きを表現することもでき、演出性や装飾性が高められた発光部材を提供することができる。
【符号の説明】
【００８８】
１０  多機能携帯電話
１１  操作画面
１３、８３  光取り出し部
１５、１７  保護ガラス
１８  目隠し部
１９  ディスプレイパネル
２１、８１  発光部材
３０、５０、９０、１１０、１３０  面状発光素子
３１、５１、９１、１１１、１３１  透明基板
３３、５３−１、５３−２  陽極
３３ａ、３３ｂ、５３ａ〜５３ｄ  陽極補助電極
３５、５５  発光層
３７ａ、３７ｂ、５７ａ〜５７ｄ  陰極補助電極
３７−１、３７−２、５７−１〜５７−３  陰極
４０−１、４０−２、６０−１〜６０−３、９３−１〜９３−１３、１１３−１〜１１３−６１、１３３−１〜１３３−６１  有機ＥＬ素子（発光領域）
７０  制御基板
８０  腕時計
【図１Ａ】
2014188732.tif 000003
【図１Ｂ】
2014188732.tif 000004
【図２】
2014188732.tif 000005
【図３】
2014188732.tif 000006
【図４】
2014188732.tif 000007
【図５】
2014188732.tif 000008
【図６Ａ】
2014188732.tif 000009
【図６Ｂ】
2014188732.tif 000010
【図６Ｃ】
2014188732.tif 000011
【図７】
2014188732.tif 000012
【図８Ａ】
2014188732.tif 000013
【図８Ｂ】
2014188732.tif 000014
【図８Ｃ】
2014188732.tif 000015
【図８Ｄ】
2014188732.tif 000016
【図９】
2014188732.tif 000017
【国際調査報告】
2014188732.tif 000018
2014188732.tif 000019
2014188732.tif 000020
2014188732.tif 000021